(57)【要約】【課題】アイドルギア及びフランジ間のフリクションを低減できるアイドルギア支持構造を提供する。【解決手段】アイドルギア支持構造は、シャフト４と、シャフト４の外周に回転自在に設けられヘリカルギアで構成されるアイドルギア１と、シャフト４の一端に設けられボス部５の一方の端面５ａと対向する第１対向面部１９を有する第１フランジ１４と、シャフト４の他端に設けられボス部５の他方の端面５ｂと対向する第２対向面部２１を有する第２フランジ１５とを備え、第１対向面部１９には、ボス部５の傾動を許容する第１テーパ面１８が形成され、第２対向面部２１には、ボス部５の傾動を許容する第２テーパ面２０が形成される。【選択図】図２
2020153415.tif 000002
【特許請求の範囲】
【請求項１】
シャフトと、
前記シャフトの外周に回転自在に設けられヘリカルギアで構成されるアイドルギアと、
前記シャフトの一端に設けられ前記アイドルギアのボス部の一方の端面と対向する第１対向面部を有する第１フランジと、
前記シャフトの他端に設けられ前記アイドルギアのボス部の他方の端面と対向する第２対向面部を有する第２フランジとを備え、
前記第１対向面部には、前記ボス部の傾動を許容する第１テーパ面が形成され、
前記第２対向面部には、前記ボス部の傾動を許容する第２テーパ面が形成された
ことを特徴とするアイドルギア支持構造。
【請求項２】
前記第１テーパ面は、外周側に向かうにつれて前記ボス部の一方の端面から離間するように傾斜され、
第２テーパ面は、外周側に向かうにつれて前記ボス部の他方の端面から離間するように傾斜された
請求項１に記載のアイドルギア支持構造。
【請求項３】
シャフトと、
前記シャフトの外周に回転自在に設けられヘリカルギアで構成されるアイドルギアと、
前記シャフトの一端に設けられ前記アイドルギアのボス部の一方の端面と対向する第１対向面部を有する第１フランジと、
前記シャフトの他端に設けられ前記アイドルギアのボス部の他方の端面と対向する第２対向面部を有する第２フランジとを備え、
前記第１対向面部と対向する前記ボス部の第３対向面部には、前記ボス部の傾動を許容する第３テーパ面が形成され、
前記第２対向面部と対向する前記ボス部の第４対向面部には、前記ボス部の傾動を許容する第４テーパ面が形成された
ことを特徴とするアイドルギア支持構造。
【請求項４】
前記第３テーパ面は、外周側に向かうにつれて前記第１対向面部から離間するように傾斜され、
前記第４テーパ面は、外周側に向かうにつれて前記第２対向面部から離間するように傾斜された
請求項３に記載のアイドルギア支持構造。
【請求項５】
シャフトと、
前記シャフトの外周に回転自在に設けられヘリカルギアで構成されるアイドルギアと、
前記シャフトの一端に設けられ前記アイドルギアのボス部の一方の端面と対向する第１対向面部を有する第１フランジと、
前記シャフトの他端に設けられ前記アイドルギアのボス部の他方の端面と対向する第２対向面部を有する第２フランジとを備え、
前記第１対向面部には、前記ボス部の傾動を許容する第１テーパ面が形成され、
前記第２対向面部と対向する前記ボス部の第４対向面部には、前記ボス部の傾動を許容する第４テーパ面が形成された
ことを特徴とするアイドルギア支持構造。
【請求項６】
シャフトと、
前記シャフトの外周に回転自在に設けられヘリカルギアで構成されるアイドルギアと、
前記シャフトの一端に設けられ前記アイドルギアのボス部の一方の端面と対向する第１対向面部を有する第１フランジと、
前記シャフトの他端に設けられ前記アイドルギアのボス部の他方の端面と対向する第２対向面部を有する第２フランジとを備え、
前記第１対向面部と対向する前記ボス部の第３対向面部には、前記ボス部の傾動を許容する第３テーパ面が、外周側に向かうにつれて前記第１対向面部から離間するように傾斜され、
前記第２対向面部には、前記ボス部の傾動を許容する第２テーパ面が、外周側に向かうにつれて前記ボス部の他方の端面から離間するように傾斜された
ことを特徴とするアイドルギア支持構造。
【請求項７】
前記第１テーパ面及び第２テーパ面は、前記シャフトと同軸の環状に形成された
請求項１または２に記載のアイドルギア支持構造。
【請求項８】
前記第１テーパ面及び前記第２テーパ面は、球面状に形成された
請求項１または２に記載のアイドルギア支持構造。
【発明の詳細な説明】
【技術分野】
【０００１】
本開示はヘリカルギアで構成されるアイドルギアを回転自在に支持するアイドルギア支持構造に関する。
【背景技術】
【０００２】
アイドルギアの支持構造としては、例えば、片持ち支持される円柱状のシャフトの外周に、アイドルギアを回転自在に設けるものが知られている。また、かかるアイドルギア支持構造には、シャフトの先端にシャフトより大径の第１フランジを設け、シャフトの基端にシャフトより大径の第２フランジを設け、これらフランジでアイドルギアのボス部を挟むものがある。
【先行技術文献】
【特許文献】
【０００３】
【特許文献１】特開平１１−０３０３１０号公報
【特許文献２】実開平０６−０３３６３４号公報
【特許文献３】実開平０５−００３７１８号公報
【発明の概要】
【発明が解決しようとする課題】
【０００４】
ところで、アイドルギアがヘリカルギアで構成される場合、アイドルギアは、アイドルギアと噛合される他の歯車からスラスト方向の力を受ける。このため、アイドルギアが微小に傾き、アイドルギアの一端面が第１フランジに局所的に強く当たると共に、他端面が第２フランジに局所的に強く当たり、アイドルギア及びフランジ間のフリクションが大きくなるという課題がある。
【０００５】
そこで本開示は、かかる事情に鑑みて創案され、その目的は、アイドルギア及びフランジ間のフリクションを低減できるアイドルギア支持構造を提供することにある。
【課題を解決するための手段】
【０００６】
本開示の一の態様によれば、
シャフトと、
前記シャフトの外周に回転自在に設けられヘリカルギアで構成されるアイドルギアと、
前記シャフトの一端に設けられ前記アイドルギアのボス部の一方の端面と対向する第１対向面部を有する第１フランジと、
前記シャフトの他端に設けられ前記アイドルギアのボス部の他方の端面と対向する第２対向面部を有する第２フランジとを備え、
前記第１対向面部には、前記ボス部の傾動を許容する第１テーパ面が形成され、
前記第２対向面部には、前記ボス部の傾動を許容する第２テーパ面が形成されたことを特徴とするアイドルギア支持構造が提供される。
【０００７】
好ましくは、前記第１テーパ面は、外周側に向かうにつれて前記ボス部の一方の端面から離間するように傾斜され、第２テーパ面は、外周側に向かうにつれて前記ボス部の他方の端面から離間するように傾斜される。
【０００８】
また、本開示の一の態様によれば、
シャフトと、
前記シャフトの外周に回転自在に設けられヘリカルギアで構成されるアイドルギアと、
前記シャフトの一端に設けられ前記アイドルギアのボス部の一方の端面と対向する第１対向面部を有する第１フランジと、
前記シャフトの他端に設けられ前記アイドルギアのボス部の他方の端面と対向する第２対向面部を有する第２フランジとを備え、
前記第１対向面部と対向する前記ボス部の第３対向面部には、前記ボス部の傾動を許容する第３テーパ面が形成され、
前記第２対向面部と対向する前記ボス部の第４対向面部には、前記ボス部の傾動を許容する第４テーパ面が形成されたことを特徴とするアイドルギア支持構造が提供される。
【０００９】
好ましくは、前記第３テーパ面は、外周側に向かうにつれて前記第１対向面部から離間するように傾斜され、前記第４テーパ面は、外周側に向かうにつれて前記第２対向面部から離間するように傾斜される。
【００１０】
また、本開示の一の態様によれば、
シャフトと、
前記シャフトの外周に回転自在に設けられヘリカルギアで構成されるアイドルギアと、
前記シャフトの一端に設けられ前記アイドルギアのボス部の一方の端面と対向する第１対向面部を有する第１フランジと、
前記シャフトの他端に設けられ前記アイドルギアのボス部の他方の端面と対向する第２対向面部を有する第２フランジとを備え、
前記第１対向面部には、前記ボス部の傾動を許容する第１テーパ面が形成され、
前記第２対向面部と対向する前記ボス部の第４対向面部には、前記ボス部の傾動を許容する第４テーパ面が形成されたことを特徴とするアイドルギア支持構造が提供される。
【００１１】
また、本開示の一の態様によれば、
シャフトと、
前記シャフトの外周に回転自在に設けられヘリカルギアで構成されるアイドルギアと、
前記シャフトの一端に設けられ前記アイドルギアのボス部の一方の端面と対向する第１対向面部を有する第１フランジと、
前記シャフトの他端に設けられ前記アイドルギアのボス部の他方の端面と対向する第２対向面部を有する第２フランジとを備え、
前記第１対向面部と対向する前記ボス部の第３対向面部には、前記ボス部の傾動を許容する第３テーパ面が、外周側に向かうにつれて前記第１対向面部から離間するように傾斜され、
前記第２対向面部には、前記ボス部の傾動を許容する第２テーパ面が、外周側に向かうにつれて前記ボス部の他方の端面から離間するように傾斜されたことを特徴とするアイドルギア支持構造が提供される。
【００１２】
好ましくは、前記第１テーパ面及び第２テーパ面は、前記シャフトと同軸の環状に形成される。
【００１３】
また、前記第１テーパ面及び前記第２テーパ面は、球面状に形成されてもよい。
【発明の効果】
【００１４】
上記の態様によれば、アイドルギア及びフランジ間のフリクションを低減できる。
【図面の簡単な説明】
【００１５】
【図１】本開示の一実施の形態に係るアイドルギアの斜視図である。
【図２】アイドルギアの支持構造を示す側面断面図である。
【図３】図２のα部拡大図である。
【図４】図２のβ部拡大図である。
【図５】第２実施形態に係る図２のα部拡大図である。
【図６】第２実施形態に係る図２のβ部拡大図である。
【図７】第３実施形態に係る図２のα部拡大図である。
【図８】第３実施形態に係る図２のβ部拡大図である。
【発明を実施するための形態】
【００１６】
以下、添付図面を参照して本開示の実施形態を説明する。なお、後述する実施の形態における前後左右上下の各方向は、後述するエンジンが搭載される車両の各方向をいうものとする。ただし、本実施の形態における各方向は、説明の便宜のために用いるものであり、後述する部材間の相対的な位置関係を表す。
【００１７】
［第１実施形態］
図１は、本開示の第１実施形態に係るアイドルギア１の斜視図である。図２は、図１に係るアイドルギア１を左方から視た側面断面図である。図１及び図２に示すように、アイドルギア１は、エンジン（内燃機関）２に具備され、図示しないクランクシャフトからの回転駆動力を補機等に伝達するギアトレインの一部をなす。エンジン２は、多気筒の圧縮着火式内燃機関、すなわちディーゼルエンジンである。エンジン２は、クランクシャフトを後方に突出させる姿勢で図示しない車両に搭載される。アイドルギア１は、ヘリカルギアで構成され、図示しない他のヘリカルギアに噛合される。アイドルギア１は、エンジン２のシリンダーブロック３の背面にシャフト４を介して回転自在に設けられる。
【００１８】
なお、アイドルギア１は、エンジン２の他の部分にシャフト４を介して設けられてもよい。また、エンジン２は、ガソリンエンジン等の他の形式の内燃機関であってもよく、単気筒エンジンであってもよい。そして、エンジン２は車両に搭載されなくてもよい。また、アイドルギア１は、エンジン以外の構造物にシャフト４を介して設けられるものであってもよい。
【００１９】
アイドルギア１は、中心部に形成されるボス部５と、外周部に形成されるリム部６と、ボス部５及びリム部６を接続するウェブ部７とを備える。ボス部５は、前後方向に延びる筒状に形成され、シャフト４の外周に回転自在に設けられる。ボス部５の外径は、ウェブ部７から前方又は後方に離間するにつれて小さくなるように設定される。ウェブ部７は、ボス部５の前後方向の中間位置から径方向外方に延びる。ウェブ部７は、板状に形成される。リム部６は、ボス部５と同軸の筒状に形成される。リム部６の外周には、複数の歯８が周方向に等ピッチに形成される。
【００２０】
シャフト４は、シリンダーブロック３の背面に片持ち支持される。すなわち、シャフト４は、シリンダーブロック３の背面に設けられ、後方に延出する。また、シャフト４は、ボス部５の内径より小径の円柱状に形成され、ボス部５を回転自在に支持する。シャフト４とボス部５との間には、円筒状のすべり軸受９が介在される。
【００２１】
また、シャフト４には、ボルト１０を挿通させるための第１ボルト挿通孔１１が前後方向に貫通して複数（本実施の形態においては２つ）形成される。また、シャフト４には、シリンダーブロック３に対する位置合わせを行うための凸部１２が前方に突起して設けられる。凸部１２は、シリンダーブロック３の背面に形成された凹部１３に嵌合される。これにより、シリンダーブロック３に対するシャフト４の上下左右方向の位置決めがなされる。
【００２２】
また、シャフト４の先端（後端）には、シャフト４より大径の第１フランジ１４が設けられる。シャフト４の基端部外周（前端部外周）には、鍔状の第２フランジ１５が設けられる。また、第２フランジ１５より後方のシャフト４の前後長さは、ボス部５の前後長さと概ね同じに設定される。
【００２３】
第１フランジ１４は、シャフト４と別体に形成される。第１フランジ１４は、シャフト４より大径の円盤状に形成されると共に、シャフト４と同軸に配置される。具体的には、図３に示すように、第１フランジ１４の前端面（以下、フランジ前端面）１４ａの外径Ｒｆ１は、ボス部５の後端面（以下、ボス部後端面）５ａの外径Ｒｂ１より大きく設定される。ただし、ここでいうフランジ前端面１４ａとは、シャフト４より外周側に位置されるフランジ前端面１４ａのうち、シャフト４の軸方向に対して概ね垂直な面である。すなわち、本実施の形態において、第１フランジ１４の前端部外周に面取りを施して形成される傾斜面１４ｂは、フランジ前端面１４ａに含まれない。また、ここでいうボス部後端面５ａとは、シャフト４の軸方向に対して概ね垂直な面である。すなわち、本実施の形態において、ボス部５の後端部外周及び後端部内周に面取りを施して形成される傾斜面５ｃは、ボス部後端面５ａに含まれない。フランジ前端面１４ａは、ボス部後端面５ａに当接することでボス部５の後方への移動を規制する。
【００２４】
図２に示すように、第１フランジ１４には、ボルト１０を挿通させるための第２ボルト挿通孔１６が前後方向に貫通して複数（本実施においては２つ）形成される。第２ボルト挿通孔１６は、第１ボルト挿通孔１１と同径に形成され、それぞれ第１ボルト挿通孔１１と同軸に配置される。ボルト１０は、第２ボルト挿通孔１６及び第１ボルト挿通孔１１に挿通され、シリンダーブロック３の背面に形成された雌ネジ１７に螺合される。すなわち、ボルト１０は、雌ネジ１７に螺合されることでシャフト４及び第１フランジ１４をシリンダーブロック３に締結する。
【００２５】
図４に示すように、第２フランジ１５は、シャフト４に一体に設けられる。第２フランジ１５の後端面（以下、フランジ後端面）１５ａの外径Ｒｆ２は、ボス部５の前端面（以下、ボス部前端面）５ｂの外径Ｒｂ２より大きく設定される。ただし、ここでいうフランジ後端面１５ａ及びボス部前端面５ｂとは、シャフト４の軸方向に対して概ね垂直な面である。すなわち、第２フランジ１５の後端部外周に面取りを施して形成される傾斜面１５ｂは、フランジ後端面１５ａに含まれない。そして、ボス部５の前端部外周及び前端部内周に面取りを施して形成される傾斜面５ｄは、ボス部前端面５ｂに含まれない。フランジ後端面１５ａは、ボス部前端面５ｂに当接することでボス部５の前方への移動を規制する。すなわち、図２に示すように、ボス部５は、第１フランジ１４と第２フランジ１５に前後から挟まれることで前後方向の移動を規制される。
【００２６】
ところで、従来のアイドルギア支持構造においては、ボス部後端面５ａが第１フランジ１４に局所的に強く当たると共に、ボス部前端面５ｂが第２フランジ１５に局所的に強く当たり、アイドルギア１及び第１フランジ１４間のフリクションが大きくなると共に、アイドルギア１及び第２フランジ１５間のフリクションが大きくなるという課題がある。
【００２７】
そこで、本実施の形態に係るアイドルギア支持構造においては、図３に示すように、ボス部５の傾動を許容するための第１テーパ面１８がフランジ前端面１４ａに形成される。第１テーパ面１８は、フランジ前端面１４ａの外周部にシャフト４と同軸の環状に形成される。具体的には、第１テーパ面１８は、その内周側の境Ｂ１を、ボス部後端面５ａの最内周位置より外周側で、かつ、ボス部後端面５ａの最外周位置より内周側の位置に位置させる。また、第１テーパ面１８は、前記内周側の境Ｂ１より外周側のフランジ前端面１４ａの全域に形成される。なお、本実施の形態においては、ボス部後端面５ａと対向する部分のフランジ前端面１４ａ（以下、第１対向面部１９）より外周側のフランジ前端面１４ａにも第１テーパ面１８が延長して形成されるが、これに限られない。第１テーパ面１８は、少なくとも前記内周側の境Ｂ１より外周側の第１対向面部１９の全域に形成されればよく、第１対向面部１９より外周側のフランジ前端面１４ａには形成されなくてもよい。
【００２８】
また、第１テーパ面１８は、外周側に向かうにつれてボス部後端面５ａから後方（軸方向）に離間するように傾斜される。第１対向面部１９内に形成される第１テーパ面１８の径方向の寸法ａは、第１対向面部１９の径方向の寸法をＡとしたとき、Ａ／３からＡ／２の範囲（Ａ／３≦ａ≦Ａ／２）に設定されるのが好ましい。第１テーパ面１８より径方向内方のフランジ前端面１４ａとボス部後端面５ａの全体とは、シャフト４の軸方向に対して垂直に配置される。よって、第１テーパ面１８より径方向内方の第１対向面部１９は、ボス部後端面５ａと平行に配置される。また、第１テーパ面１８は、第１テーパ面１８より径方向内方の第１対向面部１９に対する角度が微少な角度θ1となるように傾斜されている。この角度θ1は、アイドルギア１が傾動されたとき、第１テーパ面１８とボス部後端面５ａとが広い面積で当接されるように設定される。  また、本実施の形態に係るアイドルギア支持構造においては、図４に示すように、ボス部５の傾動を許容するための第２テーパ面２０がフランジ後端面１５ａに形成される。第２テーパ面２０は、フランジ後端面１５ａの外周部にシャフト４と同軸の環状に形成される。具体的には、第２テーパ面２０は、その内周側の境Ｂ２を、ボス部前端面５ｂの最内周位置より外周側で、かつ、ボス部前端面５ｂの最外周位置より内周側の位置に位置させる。また、第２テーパ面２０は、前記内周側の境Ｂ２より外周側のフランジ後端面１５ａの全域に形成される。なお、本実施の形態においては、ボス部前端面５ｂと対向する部分のフランジ後端面１５ａ（以下、第２対向面部２１）より外周側のフランジ後端面１５ａにも第２テーパ面２０が延長して形成されるが、これに限られない。第２テーパ面２０は、少なくとも前記内周側の境Ｂ２より外周側の第２対向面部２１の全域に形成されればよく、第２対向面部２１より外周側のフランジ後端面１５ａには形成されなくてもよい。
【００２９】
また、第２テーパ面２０は、外周側に向かうにつれてボス部前端面５ｂから前方（軸方向）に離間するように傾斜される。第２対向面部２１内に形成される第２テーパ面２０の径方向の寸法ｂは、第２対向面部２１の径方向の寸法をＢとしたとき、Ｂ／３からＢ／２の範囲（Ｂ／３≦ｂ≦Ｂ／２）に設定されるのが好ましい。第２テーパ面２０より径方向内方のフランジ後端面１５ａとボス部前端面５ｂの全体とは、シャフト４の軸方向に対して垂直に配置される。よって、第２テーパ面２０より径方向内方の第２対向面部２１は、ボス部前端面５ｂと平行に配置される。また、第２テーパ面２０は、第２テーパ面２０より径方向内方の第２対向面部２１に対する角度が微少な角度θ2となるように傾斜されている。この角度θ2は、前述の角度θ1と同じに設定される。なお、角度θ2は、前述の角度θ1と異なっていてもよい。
【００３０】
次に本実施の形態の作用について述べる。
【００３１】
アイドルギア１と噛合される他のヘリカルギアからアイドルギア１に回転駆動力が伝達された場合、アイドルギア１は他のヘリカルギアからスラスト方向の力を受ける。この力により、アイドルギア１は微少に傾く。
【００３２】
しかし、フランジ前端面１４ａには第１テーパ面１８が形成され、フランジ後端面１５ａには第２テーパ面２０が形成される。このため、微少に傾いたアイドルギア１のボス部後端面５ａに対し、第１テーパ面１８が広い面積で当接し、ボス部前端面５ｂに対し、第２テーパ面２０が広い面積で当接する。このため、アイドルギア１のボス部５が第１フランジ１４及び第２フランジ１５に局所的に強く当たることが抑制される。そしてこれにより、アイドルギア１及び第１フランジ１４間のフリクションが低減されると共に、アイドルギア１及び第２フランジ１５間のフリクションが低減される。
【００３３】
なお、ボス部５は、ウェブ部７より前方及び後方に延出されるものとしたが、これに限られない。ボス部５は、前端面及び後端面を有するものであればよい。例えば、ボス部前端面５ｂは、ウェブ部７の前端面と面一に形成されてもよく、ボス部後端面５ａは、ウェブ部７の後端面と面一に形成されてもよい。
【００３４】
［第２実施形態］
第１実施形態に変更を加えた第２実施形態について説明する。上述と同様の構成については同符号を付し、説明を省略する。
【００３５】
第１実施形態では、第１フランジ１４にボス部５の傾動を許容する第１テーパ面１８が形成され、第２フランジ１５にボス部５の傾動を許容する第２テーパ面２０が形成されるものとしたが、これに限られない。例えば、図５及び図６に示すように、ボス部後端面５ａにボス部５の傾動を許容する第３テーパ面２５が形成されてもよく、ボス部前端面５ｂにボス部５の傾動を許容する第４テーパ面２６が形成されてもよい。
【００３６】
第３テーパ面２５は、ボス部後端面５ａの外周部にシャフト４と同軸の環状に形成される。また、第３テーパ面２５は、外周側に向かうにつれてフランジ前端面１４ａから前方（軸方向）に離間するように傾斜される。また、第３テーパ面２５の径方向の寸法ｃは、ボス部後端面５ａの径方向の寸法をＣとしたとき、Ｃ／３からＣ／２の範囲（Ｃ／３≦ｃ≦Ｃ／２）に設定されるのが好ましい。第３テーパ面２５より径方向内方のボス部後端面５ａとフランジ前端面１４ａの全体とは、シャフト４の軸方向に対して垂直に配置される。すなわち、第３テーパ面２５より径方向内方のボス部後端面５ａは、フランジ前端面１４ａと平行に配置される。また、第３テーパ面２５は、第３テーパ面２５より径方向内方のボス部後端面５ａに対する角度が角度θ1となるように傾斜される。
【００３７】
第４テーパ面２６は、ボス部前端面５ｂの外周部にシャフト４と同軸の環状に形成される。また、第４テーパ面２６は、外周側に向かうにつれてフランジ後端面１５ａから後方（軸方向）に離間するように傾斜される。また、第４テーパ面２６の径方向の寸法ｄは、ボス部前端面５ｂの径方向の寸法をＤとしたとき、Ｄ／３からＤ／２の範囲（Ｄ／３≦ｄ≦Ｄ／２）に設定されるのが好ましい。第４テーパ面２６より径方向内方のボス部前端面５ｂとフランジ後端面１５ａの全体とは、シャフト４の軸方向に対して垂直に配置される。すなわち、第４テーパ面２６より径方向内方のボス部前端面５ｂは、フランジ後端面１５ａと平行に配置される。また、第４テーパ面２６は、第４テーパ面２６より径方向内方のボス部前端面５ｂに対する角度が角度θ2となるように傾斜される。
【００３８】
このように、第２実施の形態では、ボス部後端面５ａに第３テーパ面２５が形成され、ボス部前端面５ｂに第４テーパ面２６が形成される。このため、アイドルギア１がスラスト方向の力を受けて微少に傾いた場合、フランジ前端面１４ａに対しては第３テーパ面２５が広い面積で当接し、フランジ後端面１５ａに対しては第４テーパ面２６が広い面積で当接する。このため、ボス部５が第１フランジ１４及び第２フランジ１５に局所的に強く当たることが抑制される。そしてこれにより、アイドルギア１及び第１フランジ１４間のフリクションを低減できると共に、アイドルギア１及び第２フランジ１５間のフリクションを低減できる。
【００３９】
［第３実施形態］
第２実施形態に変更を加えた第３実施形態について説明する。上述と同様の構成については同符号を付し、説明を省略する。
【００４０】
第２実施形態では、ボス部後端面５ａの外径Ｒｂ１は、フランジ前端面１４ａの外径Ｒｆ１より小さく設定され、ボス部後端面５ａの全面がフランジ前端面１４ａと対向される。しかし、図７に示すように、ボス部後端面５ａの外径Ｒｂ１は、フランジ前端面１４ａの外径Ｒｆ１より大きく設定されてもよい。第３実施形態において、第３テーパ面２５は、第１対向面部１９と対向する部分のボス部後端面５ａ（以下、第３対向面部２３）に形成されると共に、第３対向面部２３より外周側のボス部後端面５ａにも延長して形成される。しかし、これに限られない。第３テーパ面２５は、第３対向面部２３より外周側のボス部後端面５ａには形成されなくてもよい。
【００４１】
また、第２実施形態では、ボス部前端面５ｂの外径Ｒｂ２は、フランジ後端面１５ａの外径Ｒｆ２より小さく設定され、ボス部前端面５ｂの全面がフランジ後端面１５ａと対向される。しかし、図８に示すように、ボス部前端面５ｂの外径Ｒｂ２は、フランジ後端面１５ａの外径Ｒｆ２より大きく設定されてもよい。第３実施形態において、第４テーパ面２６は、第２対向面部２１と対向する部分のボス部前端面５ｂ（以下、第４対向面部２４）に形成されると共に、第４対向面部２４より外周側のボス部前端面５ｂにも延長して形成される。しかし、これに限られない。第４テーパ面２６は、第４対向面部２４より外周側のボス部前端面５ｂには形成されなくてもよい。
【００４２】
以上、本開示の実施形態を詳細に述べたが、本開示は以下のような他の実施形態も可能である。
【００４３】
（１）図３に示すように、フランジ前端面１４ａに第１テーパ面１８が形成され、図６に示すように、ボス部前端面５ｂに第４テーパ面２６が形成されてもよい。
【００４４】
（２）図５に示すように、ボス部後端面５ａに第３テーパ面２５が形成され、図４に示すように、フランジ後端面１５ａに第２テーパ面２０が形成されてもよい。
【００４５】
（３）第１テーパ面１８及び第２テーパ面２０は、断面直線状に形成されるものについて説明したが、これに限られない。例えば、第１テーパ面１８及び第２テーパ面２０は球面状に形成されてもよい。
【００４６】
（４）第１フランジ１４は、シャフト４と別体に形成されるものとしたが、シャフト４と一体に形成されてもよい。
【００４７】
（５）第２フランジ１５は、シャフト４に一体に設けられるものとしたが、シャフト４と別体に形成されてもよい。例えば、第２フランジ１５は、エンジン２に一体に設けられてもよい。
【００４８】
（６）シャフト４は、片持ち支持されるものについて説明したが、これに限られない。シャフト４は、両端を支持されるものであってもよい。
【００４９】
前述の各実施形態の構成は、特に矛盾が無い限り、部分的にまたは全体的に組み合わせることが可能である。本開示の実施形態は前述の実施形態のみに限らず、特許請求の範囲によって規定される本開示の思想に包含されるあらゆる変形例や応用例、均等物が本開示に含まれる。従って本開示は、限定的に解釈されるべきではなく、本開示の思想の範囲内に帰属する他の任意の技術にも適用することが可能である。
【符号の説明】
【００５０】
１    アイドルギア
４    シャフト
５    ボス部
５ａ  ボス部後端面（ボス部の一方の端面）
５ｂ  ボス部前端面（ボス部の他方の端面）
１４  第１フランジ
１５  第２フランジ
１８  第１テーパ面
１９  第１対向面部
２０  第２テーパ面
２１  第２対向面部
２５  第３テーパ面
２６  第４テーパ面
【図１】
2020153415.tif 000003
【図２】
2020153415.tif 000004
【図３】
2020153415.tif 000005
【図４】
2020153415.tif 000006
【図５】
2020153415.tif 000007
【図６】
2020153415.tif 000008
【図７】
2020153415.tif 000009
【図８】
2020153415.tif 000010